(57)【要約】【課題】流路切換機構により原水と浄水との何れかを吐水することのできる浄水機能付シャワーヘッドにおいて、原水が通過する流路に配置されるストレーナの目詰まりを防止し、原水を常時良好に吐水させる。【解決手段】  浄水機能付シャワーヘッド６は、原水が通過する原水流路２３と水質浄化用の浄水流路７ａとが形成された浄水カートリッジ７を内筒ケース１８に取替自在に装着した把持部１３と、この把持部１３の一端に結合され前記原水流路２３と浄水流路７ａとを切換える流路切換機構１５と原水又は浄水を吐水する吐水口１６とが設けられた頭部１４とを備え、前記浄水カートリッジ７の原水流路２３にストレーナ２６を装着した。また、ストレーナ２６は浄水カートリッジ７の外周面に装着した。【選択図】図２
2009030397.tif 000002
【特許請求の範囲】
【請求項１】
原水が通過する原水流路と水質浄化用の浄水流路とが形成された浄水カートリッジを内筒ケースに取替自在に装着した把持部と、この把持部の一端に結合され前記原水流路と浄水流路とを切換える流路切換機構と原水又は浄水を吐水する吐水口とが設けられた頭部とを備え、前記浄水カートリッジの原水流路にストレーナを装着したことを特徴とする浄水機能付シャワーヘッド。
【請求項２】
前記ストレーナは浄水カートリッジの外周面に装着したことを特徴とする請求項１記載の浄水機能付シャワーヘッド。
【発明の詳細な説明】
【技術分野】
【０００１】
この発明は、家庭の台所や洗面台または浴室等で使用され、原水と浄水との流路を切換えて吐水させることができるようにした浄水機能付シャワーヘッドに関するものである。
【背景技術】
【０００２】
近年、家庭の台所、洗面台あるいは浴室等に、原水だけでなく水道水である原水に含まれている殺菌用の残留塩素や微細な異物を除去した浄水を吐水できるようにしたものとして、浄水カートリッジを装着した浄水機能付シャワーヘッドが開発及び製品化され、また特許文献でも紹介されている。
このような構成として、例えば特許文献１に開示された浄水機能付シャワーヘッドにおいては、原水吐水口及び浄水吐水口がそれぞれ別々に設けられた頭部と、浄水カートリッジを取替可能に装着した吐水ヘッド本体とを一体的に形成し、頭部には切換操作部が設けられ、この切換操作部を操作することにより、吐水の種類と吐水形態の切換とができる浄水機能付シャワーヘッドが記載されている。
【０００３】
【特許文献１】特許第３７４７１６５号公報
【発明の開示】
【発明が解決しようとする課題】
【０００４】
この特許文献１の浄水機能付シャワーヘッドでは、原水は浄水カートリッジの浄水通路を通過しないため、原水が通過する頭部の原水流路にストレーナが装着されており、このストレーナによりごみ等の異物が原水流路中で付着して目詰まりするのを防止し、原水が良好に吐水されるようにしている。この場合、原水を吐水し続けると、ストレーナは原水に含まれている異物により目詰まりするため、定期的に清掃を行なう必要があるが、ストレーナの清掃を行なうには頭部を吐水ヘッドから分離させ、頭部に装着されているストレーナを取外して清掃する必要がある。ところが、ストレーナの清掃を行なわずに浄水機能付シャワーヘッドの使用を続ける使用者が多く、この場合、吐水口から十分な流量が吐水されない使い勝手の悪い状態で使用されることとなり、その改善策が必要であった。
【０００５】
この発明は、このような従来の技術に存在する問題点に着目してなされたものであり、その目的は、流路切換機構により原水と浄水との何れかを吐水することのできる浄水機能付シャワーヘッドにおいて、原水が通過する流路に配置されるストレーナの目詰まりを防止し、原水を常時良好に吐水させることにある。
【課題を解決するための手段】
【０００６】
上記目的を達成するため、請求項１記載の発明では、原水が通過する原水流路と水質浄化用の浄水流路とが形成された浄水カートリッジを内筒ケースに取替自在に装着した把持部と、この把持部の一端に結合され前記原水流路と浄水流路とを切換える流路切換機構と原水又は浄水を吐水する吐水口とが設けられた頭部とを備え、前記浄水カートリッジの原水流路にストレーナを装着したものである。
【０００７】
請求項２に記載の発明では請求項１記載の発明において、前記ストレーナは浄水カートリッジの外周面に装着したことを特徴とするものである。
【発明の効果】
【０００８】
本発明の請求項１記載の発明では、浄水カートリッジは内筒ケースに取替自在に装着され、この浄水カートリッジの原水流路にストレーナが装着されているため、定期的に取替える必要のある浄水カートリッジを取替えればストレーナも同時に取替えられることとなり、ストレーナのみを単独で取替える必要がなく、ストレーナの目詰まりを防止し、原水を常時良好に吐水させることができる浄水器機能付シャワーヘッドを提供できる。
【０００９】
請求項２に記載の発明では、ストレーナは浄水カートリッジの外周面に装着されているため、その汚れ具合を目視により容易に把握することができる。
【発明を実施するための最良の形態】
【００１０】
以下、本発明を具体化した実施例を図に基づいて詳細に説明する。
【実施例】
【００１１】
図１に示すように水栓１は、給湯管２及び給水管３から供給される湯及び水を混合して水または混合水からなる原水を供給管４に供給する本体部５と、内部に浄水カートリッジ７が取替自在に装着され本体部５から供給される原水又は浄水カートリッジ７により濾過された浄水を吐水する本発明の浄水機能付シャワーヘッド６と、この浄水機能付シャワーヘッド６と前記供給管４とを接続するホース８とを備え、流し台又は洗面台のカウンターＡに固定される。
【００１２】
水栓１は本体部５の内部に混合弁９が装着されており、混合弁９の下部には前記給湯管２と給水管３と供給管４とが接続され、混合弁９の上部はレバー１０が連繋し、レバー１０を上下又は左右に操作することで、混合弁９により温度及び流量が調節された混合水は、供給管４及びホース８を介して浄水機能付シャワーヘッド６へ供給され、浄水機能付シャワーヘッド６から吐水される混合水の吐水温度及び吐水流量の調節が可能である。
【００１３】
前記本体部５には浄水機能付シャワーヘッド６を引出し自在に支持するホルダー１１が上傾して回動可能に設けられており、浄水機能付シャワーヘッド６の基端には前記ホース８が接続され、このホース８はホルダー１１及び本体部５の内部を通過してカウンターＡの下部に略Ｕ字状に垂れ下がっており、ホース８の他端は前記供給管４に接続し、浄水機能付シャワーヘッド６はホルダー１１に支持された状態、又はホルダー１１からホース８と共に引出して使用され、前記レバー１０を止水位置から吐水方向へ操作すると、浄水機能付シャワーヘッド６先端に設けられた湯水吐水部１２から原水又は浄水を吐水可能となっている。
【００１４】
浄水機能付シャワーヘッド６は図２に示すように、浄水カートリッジ７を収容できる大きさに形成された把持部１３と、この把持部１３の先端に着脱自在に結合され把持部１３とほぼ同一外径の頭部１４とを備え、頭部１４に流路切換機構１５が内蔵され、かつ頭部１４の一側面に吐水口１６、頭部１４の先端に操作ハンドル１７が設けられた構成を有する。
【００１５】
前記把持部１３は、浄水カートリッジ７が取替自在に装着される内筒ケース１８と、この内筒ケース１８を覆う第１外筒ケース１９ａとを備え、内筒ケース１８は耐熱性及び耐久性を有する材料で形成され、第１外筒ケース１９ａは装飾用のメッキ等ができる材料で形成される。把持部１３は使用者が片手で把持できる太さに形成される。
前記内筒ケース１８は両端に開口部２０，２１を有し、一端の第１開口部２０には前記ホース８が接続できるようにホース接続部２０ａが形成される。また、他端の第２開口部２１は頭部１４の本体ハウジング２２と着脱自在に結合できる結合部２１ａが形成される。そして、第１外筒ケース１９ａは内筒ケース１８の外周囲を覆うように、内筒ケース１８より一回り大きくかつ同じ形状になっている。
【００１６】
前記頭部１４は流路切換機構１５を構成する筒状の本体ハウジング２２と、この本体ハウジング２２の外周面を覆う第２外筒ケース１９ｂとを備え、この第２外筒ケース１９ｂは前記第１外筒ケース１９ａと同じく装飾用のメッキ等ができる材料で形成されており、頭部１４の先端には流路切換機構１５を作動させる操作ハンドル１７が装着されている。
【００１７】
前記浄水カートリッジ７には浄水流路７ａが形成され、この浄水流路７ａに水質を浄化するための活性炭部７ｂと中空糸膜部７ｃとが直列配設されている。この構造の浄水カ−トリッジ７は、一端の第１開口部２０から水、即ち原水が供給されると、活性炭部７ｂの外周面からその中心部、さらに中空糸膜部７ｃを通過して原水は浄化され、浄化された浄水は他端の第２開口部２１から流出される。
また、浄水カートリッジ７の外周面と内筒ケース１８の内周面との間には、原水が通過する原水流路２３が形成されている。
そして、前記流路切換機構１５と連繋した操作ハンドル１７を操作すると、第１開口部２０から供給される原水は、浄水流路７ａを通過することにより、原水に含まれている殺菌用の残留塩素や微細な異物が除去され浄化された浄水の吐水と、活性炭部７ｂと中空糸膜部７ｃとの外側である原水流路２３を通過した原水の吐水とに流路を切換えることができる。
【００１８】
浄水カートリッジ７は中空糸膜部７ｃの外周面にキャップ２４が装着されている。キャップ２４は中空糸膜部７ｃの外周面の略全体を覆うようにした略円筒形状で、中空糸膜部７ｃの外周面に装着して固定される円筒部２５と、この円筒部２５に保持されるストレーナ２６と、ストレーナ２６の先端に結合されるリブ２７とを備えている。ストレーナ２６は細い金属線又は合成樹脂線等の網素材をリング状にしたもので、原水が通過する原水流路２３に装着される。リブ２７は略円筒状でその外周面に環状溝２７ａが形成され、この環状溝２７ａにパッキン２７ｂが装着されており、パッキン２７ｂは前記内筒ケース１８の内周面に隙間なく密着される。浄水カートリッジ７の外周面とリブ２７との間には通水路２８が形成され、原水流路２３を通過する原水は、リブ２７の内側でこの通水路２８を通過する。
したがって、原水流路２３を通過する原水は、流路切換機構１５に向けて必ず通水路２８及びキャップ２４のストレーナ２６を通過することとなる。
なお、本実施例では、キャップは浄水カートリッジと別物品として、このキャップにストレーナを設けているが、キャップは浄水カートリッジと一体としてもよい。
【００１９】
このように浄水カートリッジ７は原水の流路となるキャップ２４の円筒部２５とリブ２７との間にストレーナ２６が装着されているため、浄水カートリッジ７の外周面と内筒ケース１８の内周面との間の原水流路２３を通過し、浄水流路７ａを通過しない原水は必ずストレーナ２６を通過することで、原水流路２３を通過する原水に異物が含まれていても、この異物は必ずストレーナ２６で捕捉されるため、流路切換機構１５へ流れて、流路切換機構１５又は湯水吐水部１２の各物品に異物が付着することはない。
【００２０】
上記の浄水機能付シャワーヘッド７において、図２に示すように内筒ケース１８の第１開口部２０から供給された原水は、浄水カートリッジ７の外周面と内筒ケース１８との間の原水流路２４から、浄水カートリッジ７の外周面とキャップ２４のリブ２７との間に形成された通水路２８、ストレーナ２６、流路切換機構１５、湯水吐水部１２を通過して吐水口１６から外部へ吐水される。この場合、原水は浄水カートリッジ７の外周面と内筒ケース１８の内周面との間の原水流路２３を通過する際に、必ずストレーナ２６を通過するため、原水中に含まれている異物はこのストレーナ２６により捕捉される。
【００２１】
次に浄水を吐水させるため操作ハンドル１７を回動方向に操作すると、内筒ケース１８の第１開口部２０から供給された原水は、水流路７ａの活性炭部７ｂ及び中空糸膜部７ｃを通過する。この場合、原水に含まれている殺菌用の残留塩素や微細な異物は活性炭部７ｂと中空糸膜部７ｃとにより除去されたうえで、浄水は吐水口１６から吐水される
【００２２】
浄水カートリッジ７は使用時間の経過に伴って浄化機能は次第に低下していくため、例えば４ヶ月に一度を目安として定期的に取替える必要がある。浄水カートリッジ７の取替え作業を行なうには、図３に示すように、浄水機能付シャワーヘッド６の把持部１３から頭部１４を離脱させ、把持部１３内に装着されている浄水カートリッジ７を取出した後、新しい浄水カートリッジ７ｄを把持部１３内に装着し、頭部１４を把持部１３に結合させる。この場合、新しい浄水カートリッジ７ｄにはキャップ２４にストレーナ２６が装着されているため、浄水カートリッジ７ｄの取替えと同時にストレーナ２６の取替えを行なうことができる。また、ストレーナ２６は浄水カートリッジ７の外周面に装着されているため、その汚れ具合を目視により容易に把握することができる。
【００２３】
なお、本実施例では浄水機能付シャワーヘッドを水栓のホルダーに引出し自在に装着した例であるが、本発明の浄水機能付シャワーヘッドは他の様々な形態の水栓に装着したり、接続することが可能であり、例えば浴室に取付けられている水栓はホースが露出しており、この露出したホースの先端に本発明の浄水機能付シャワーヘッドを接続することが可能である。
【００２４】
以上のように、この発明の浄水機能付シャワーヘッドは、原水が通過する原水流路と水質浄化用の浄水流路とが形成された浄水カートリッジを内筒ケースに取替自在に装着した把持部と、この把持部の一端に結合され前記原水流路と浄水流路とを切換える流路切換機構と原水又は浄水を吐水する吐水口とが設けられた頭部とを備え、前記浄水カートリッジの原水流路にストレーナを装着したので、定期的に取替える必要のある浄水カートリッジを取替えればストレーナも同時に取替えられることとなり、ストレーナのみを単独で交換する必要がなく、ストレーナの目詰まりを防止し、原水を常時良好に吐水させることができる。
【図面の簡単な説明】
【００２５】
【図１】本発明の浄水機能付シャワーヘッドを備えた水栓をカウンターに固定した状態を示す説明図である。
【図２】本発明の浄水機能付シャワーヘッドの縦断面図である。
【図３】本発明の浄水機能付シャワーヘッドから浄水カートリッジを取出した状態の説明図である。
【符号の説明】
【００２６】
６          ：  浄水機能付シャワーヘッド
７          ：  浄水カートリッジ
７ａ          ：  浄水流路
１３          ：  把持部
１４          ：  頭部
１５          ：  流路切換機構
１６          ：  吐水口
１８          ：  内筒ケース
２３          ：  原水流路
２６          ：  ストレーナ
【図１】
2009030397.tif 000003
【図２】
2009030397.tif 000004
【図３】
2009030397.tif 000005